(57)【要約】【課題】ブザーの防犯機能を高めることが目的とされる。【解決手段】カメラ付きブザーは、スイッチ１、ブザー２、撮像部３及び記憶部４を備える。ブザー２は、スイッチ１がオンした場合に鳴動する。記憶部４は、スイッチ１がオンした場合に、撮像部３で撮像された映像Ｐを記録する。撮像部３は、撮像した映像Ｐを記憶部４に記録する場合には動作している。【選択図】図１
2007074071.tif 000002
【特許請求の範囲】
【請求項１】
撮像部と、
スイッチと、
前記スイッチがオンした場合に鳴動するブザーと、
前記スイッチがオンした場合に、前記撮像部で撮像された映像を記録する記憶部と
を備える、カメラ付きブザー。
【請求項２】
前記ブザーは前記スイッチに接続される紐を有し、
前記紐を引くことで前記スイッチがオンする、請求項１記載のカメラ付きブザー。
【請求項３】
音の周波数と振幅とを検知する第１の検知部と、
撮像部と、
ブザーと、
記憶部と
を備え、
前記周波数が所定の範囲にあって前記振幅が所定値以上である場合に、前記ブザーの鳴動と前記撮像部で撮像された映像の前記記憶部への記録とを並行して行う、カメラ付きブザー。
【請求項４】
心拍または脈拍の数値を検知する第２の検知部
を更に備え、
前記数値が所定値以上である場合に、前記ブザーを鳴動させずに前記撮像部で撮像された映像を前記記憶部に記録する、請求項１乃至請求項３のいずれか一つに記載のカメラ付きブザー。
【請求項５】
心拍または脈拍の数値を検知する検知部と、
撮像部と、
ブザーと、
記憶部と
を備え、
前記数値が所定値以上である場合に、前記ブザーの鳴動と前記撮像部で撮像された映像の前記記憶部への記録とを並行して行う、カメラ付きブザー。
【請求項６】
心拍または脈拍の数値を検知する検知部と、
撮像部と、
ブザーと、
記憶部と
を備え、
前記数値の時間変化量が所定値以上である場合に、前記ブザーの鳴動と前記撮像部で撮像された映像の前記記憶部への記録とを並行して行う、カメラ付きブザー。
【請求項７】
前記記憶部に前記映像を記録している場合に点灯するランプを更に備える、請求項１乃至請求項６のいずれか一つに記載のカメラ付きブザー。
【請求項８】
前記記憶部への前記映像の記録に並行して、所定の信号を送信する送信部を更に備える、請求項１乃至請求項７のいずれか一つに記載のカメラ付きブザー。
【請求項９】
前記撮像部と前記記憶部とは分離可能であって、両者は被固定部を介して相互に反対側から装着されて前記被固定部に固定される、請求項１乃至請求項８のいずれか一つに記載のカメラ付きブザー。
【請求項１０】
前記撮像部と前記ブザーとは分離可能である、請求項１乃至請求項９のいずれか一つに記載のカメラ付きブザー。
【請求項１１】
肩ベルトに装着可能である、請求項１乃至請求項１０のいずれか一つに記載のカメラ付きブザー。
【発明の詳細な説明】
【技術分野】
【０００１】
この発明はカメラ付きブザーに関し、例えば防犯に適用できる。
【背景技術】
【０００２】
特許文献１では、紐を引くことで鳴動する防犯ブザーが紹介されているおり、当該防犯ブザーは特にランドセルに設置されている。
【０００３】
【特許文献１】特開平１１−７５９２４号公報
【発明の開示】
【発明が解決しようとする課題】
【０００４】
しかし、防犯ブザーだけでは昨今の児童誘拐等の犯罪を防止できないおそれがある。
【０００５】
本発明は、このような事情に鑑みてなされたものであり、ブザーの防犯機能を高めることが目的とされる。
【課題を解決するための手段】
【０００６】
この発明の請求項１にかかるカメラ付きブザーは、撮像部と、スイッチと、前記スイッチがオンした場合に鳴動するブザーと、前記スイッチがオンした場合に、前記撮像部で撮像された映像を記録する記憶部とを備える。
【０００７】
この発明の請求項２にかかるカメラ付きブザーは、請求項１記載のカメラ付きブザーであって、前記ブザーは前記スイッチに接続される紐を有し、前記紐を引くことで前記スイッチがオンする。
【０００８】
この発明の請求項３にかかるカメラ付きブザーは、音の周波数と振幅とを検知する第１の検知部と、撮像部と、ブザーと、記憶部とを備え、前記周波数が所定の範囲にあって前記振幅が所定値以上である場合に、前記ブザーの鳴動と前記撮像部で撮像された映像の前記記憶部への記録とを並行して行う。
【０００９】
この発明の請求項４にかかるカメラ付きブザーは、請求項１乃至請求項３のいずれか一つに記載のカメラ付きブザーであって、心拍または脈拍の数値を検知する第２の検知部を更に備え、前記数値が所定値以上である場合に、前記ブザーを鳴動させずに前記撮像部で撮像された映像を前記記憶部に記録する。
【００１０】
この発明の請求項５にかかるカメラ付きブザーは、心拍または脈拍の数値を検知する検知部と、撮像部と、ブザーと、記憶部とを備え、前記数値が所定値以上である場合に、前記ブザーの鳴動と前記撮像部で撮像された映像の前記記憶部への記録とを並行して行う。
【００１１】
この発明の請求項６にかかるカメラ付きブザーは、心拍または脈拍の数値を検知する検知部と、撮像部と、ブザーと、記憶部とを備え、前記数値の時間変化量が所定値以上である場合に、前記ブザーの鳴動と前記撮像部で撮像された映像の前記記憶部への記録とを並行して行う。
【００１２】
この発明の請求項７にかかるカメラ付きブザーは、請求項１乃至請求項６のいずれか一つに記載のカメラ付きブザーであって、前記記憶部に前記映像を記録している場合に点灯するランプを更に備える。
【００１３】
この発明の請求項８にかかるカメラ付きブザーは、請求項１乃至請求項７のいずれか一つに記載のカメラ付きブザーであって、前記記憶部への前記映像の記録に並行して、所定の信号を送信する送信部を更に備える。
【００１４】
この発明の請求項９にかかるカメラ付きブザーは、請求項１乃至請求項８のいずれか一つに記載のカメラ付きブザーであって、前記撮像部と前記記憶部とは分離可能であって、両者は被固定部を介して相互に反対側から装着されて前記被固定部に固定される。
【００１５】
この発明の請求項１０にかかるカメラ付きブザーは、請求項１乃至請求項９のいずれか一つに記載のカメラ付きブザーであって、前記撮像部と前記ブザーとは分離可能である。
【００１６】
この発明の請求項１１にかかるカメラ付きブザーは、請求項１乃至請求項１０のいずれか一つに記載のカメラ付きブザーであって、肩ベルトに装着可能である。
【発明の効果】
【００１７】
この発明の請求項１にかかるカメラ付ブザーによれば、スイッチをオンすることで、ブザーが鳴動する状況での周囲の映像を記録することができる。
【００１８】
この発明の請求項２にかかるカメラ付ブザーによれば、スイッチを直接操作できない位置に設置しても、紐を介してスイッチをオンすることができる。
【００１９】
この発明の請求項３にかかるカメラ付ブザーによれば、音を検知してブザーの鳴動と記憶部への映像の記録とを並行して行うので、スイッチの操作が不要である。しかも、音の周波数が所定の範囲であって振幅が所定値以上の場合にブザーを鳴動させるので、誤報が低減できる。
【００２０】
この発明の請求項４にかかるカメラ付ブザーによれば、誤報を回避することができる。
【００２１】
この発明の請求項５にかかるカメラ付ブザーによれば、心拍または脈拍の数値を検知してブザーの鳴動と記憶部への映像の記録とを並行して行うので、スイッチの操作が不要である。しかも、当該数値が所定値以上である場合にブザーを鳴動させるので、誤報が低減できる。
【００２２】
この発明の請求項６にかかるカメラ付きブザーによれば、心拍または脈拍の数値を検知してブザーの鳴動と記憶部への映像の記録とを並行して行うので、スイッチの操作が不要である。しかも、前記数値の時間変化量が所定値以上である場合にブザーを鳴動させるので、誤報が低減できる。
【００２３】
この発明の請求項７にかかるカメラ付ブザーによれば、ランプの点灯により撮像した映像を記録していることを認識できる。
【００２４】
この発明の請求項８にかかるカメラ付ブザーによれば、所定の信号を送信することで、例えば非常時であることを通知したり、記録した映像を転送したりすることができる。
【００２５】
この発明の請求項９にかかるカメラ付ブザーによれば、撮像部が取り外されても記憶部は残る。よって、それまでに記録された映像を保持することができる。
【００２６】
この発明の請求項１０にかかるカメラ付ブザーによれば、撮像部が取り外されても、ブザーを鳴動させることができる。また、ブザーが取り外されても、撮像部で映像を撮像することができる。
【００２７】
この発明の請求項１１にかかるカメラ付ブザーによれば、当該カメラ付きブザーを装着した人に近づく者を撮像しやすい。
【発明を実施するための最良の形態】
【００２８】
第１の実施の形態．
図１は、本実施の形態にかかるカメラ付きブザーを概念的に示すブロック図である。当該カメラ付きブザーは、スイッチ１、ブザー２、撮像部３及び記憶部４を備える。
【００２９】
ブザー２は、スイッチ１がオンした場合に鳴動する。
【００３０】
記憶部４は、スイッチ１がオンした場合に、撮像部３で撮像された映像Ｐを記録する。
【００３１】
撮像部３は、撮像した映像Ｐを記憶部４に記録する場合には動作している。撮像部３は、例えば充電可能なバッテリで駆動される。
【００３２】
上述したカメラ付きブザーによれば、スイッチをオンすることで、ブザー２が鳴動する状況での周囲の映像Ｐを記憶部４に記録することができる。
【００３３】
カメラ付きブザーは、送信部５を更に備えても良く、図１にはこの態様が示されている。
【００３４】
送信部５は、スイッチ１がオンした場合に所定の信号Ｓを送信する。この送信は、記憶部４への映像Ｐの記録に並行した、送信部５による所定の信号Ｓの送信と把握できる。所定の信号Ｓには、例えば非常時であることを通知する信号や、記憶部４に記録された映像等が採用できる。当該信号Ｓは、例えば子供１１０番の家や警備会社等に設置された受信部６で受信される。
【００３５】
図２は、カメラ付きブザーの構造を概念的に示す。カメラ付きブザーは、本体部分１１と記憶部４とを備える。本体部分１１は、これに格納された撮像部３及びブザー２と、スイッチ１とを備える。
【００３６】
本体部分１１と記憶部４とは分離可能であり、肩ベルト９を介して互いに反対側から装着することで、カメラ付きブザーが肩ベルト９に固定される。図３では、ランドセルの肩ベルト９に当該カメラ付きブザーを装着した場合が示されている。ランドセルの肩ベルト９にカメラ付きブザーを装着することは、当該カメラ付きブザーを装着した人に近づく者を撮像しやすい点で望ましい。
【００３７】
本体部分１１と記憶部４とを装着することで、記憶部４は撮像部３及びスイッチ１とそれぞれ接続される。
【００３８】
このような構造を有するカメラ付きブザーによれば、本体部分１１がもぎ取られるなどして撮像部３が取り外されても記憶部４は残る。よって、それまでに記録された映像Ｐを保持することができる。
【００３９】
スイッチ１は、これに接続された紐を引くことでオンするものであっても良い。これによれば、スイッチ１を直接操作できない位置に設置しても、紐を介してスイッチ１をオンすることができる。
【００４０】
図２では、撮像部３とブザー２とが本体部分１１に格納された場合が示されているが、例えば撮像部３とブザー２とが分離可能であっても良い。これによれば、撮像部３がもぎ取られるなどして取り外されても、ブザー２を鳴動させることができる。また、ブザー２がもぎ取られるなどして取り外されても、撮像部３で映像Ｐを撮像することができる。
【００４１】
第２の実施の形態．
図４は、本実施の形態にかかるカメラ付きブザーを概念的に示すブロック図である。当該カメラ付きブザーは、ブザー２、撮像部３、記憶部４、検知部７及び制御部８を備える。
【００４２】
検知部７には、音の周波数ｆと振幅Ａとを検知するセンサが採用できる。この場合、検知された周波数ｆ及び振幅Ａは制御部８に与えられる。
【００４３】
制御部８は、周波数ｆが所定の範囲にあって振幅Ａが所定値以上であると判断した場合に、ブザー２を鳴動させ、これに並行して撮像部３で撮像された映像Ｐを記憶部４に記録させる。制御部８は、記憶部４に映像Ｐを記録する場合には撮像部３を動作させる。
【００４４】
所定の範囲には、カメラ付きブザーを装着する者の声の周波数領域が採用できる。また、互いに異なる複数の周波数領域を予め登録しておき、これらを例えばスイッチで切り換えることで、選択される周波数領域を所定の範囲として採用しても良い。
【００４５】
このようなカメラ付きブザーによれば、音を検知してブザー２の鳴動と記憶部４への映像Ｐの記録とを並行して行うので、スイッチ１の操作が不要である。しかも、音の周波数ｆが所定の範囲であって振幅Ａが所定値以上の場合にブザー２を鳴動させるので、誤報が低減できる。
【００４６】
検知部７には、心拍または脈拍の数値ａを検知するセンサを採用しても良い。この場合、検知された数値ａは制御部８に与えられる。
【００４７】
制御部８は、数値ａが所定値以上であると判断した場合に、ブザー２を鳴動させ、これに並行して撮像部３で撮像された映像Ｐを記憶部４に記録させる。制御部８は、記憶部４に映像Ｐを記録する場合には撮像部３を動作させる。
【００４８】
このようなカメラ付きブザーによれば、心拍または脈拍の数値ａを検知してブザー２の鳴動と記憶部４への映像Ｐの記録とを並行して行うので、スイッチ１の操作が不要である。しかも、数値ａが所定値以上である場合にブザー２を鳴動させるので、誤報が低減できる。
【００４９】
心拍や脈拍の数値ａは変化しやすい。例えば、不審者が近づいてきた場合などの非常時でなくても、運動などをすれば数値ａが向上する。このような場合にまでブザーを鳴動させれば誤報を招き、あまり望ましくない。
【００５０】
そこで、制御部８で次のような制御を行っても良い。すなわち、数値ａが所定値以上であると判断した場合に、ブザー２を鳴動させずに撮像部３で撮像された映像Ｐを記憶部４に記録させる。ブザー２は、これに例えばスイッチ１が接続され、スイッチ１をオンした場合に鳴動する。あるいは、音の周波数ｆと振幅Ａとを検知するセンサを更に備え、周波数ｆが所定の範囲にあって振幅Ａが所定値以上であると制御部８が判断した場合に、制御部８の制御によってブザー２は鳴動する。これにより、誤報を回避することができる。
【００５１】
例えば、制御部８は次のような制御を行っても良い。すなわち、ある時刻ｔ１で所定値Ｌ１以下であった数値ａが、所定の時間経過後の時刻ｔ２で所定値Ｌ２（Ｌ２＞Ｌ１）以上になったと判断した場合に、ブザー２を鳴動させ、これに並行して撮像部３で撮像された映像Ｐを記憶部４に記録させる。
【００５２】
所定の時間には、例えば１０秒程度の短い時間を採用することが望ましい。なぜなら、制御部８の上記判断が、例えば不審者の接近などによって心拍または脈拍の数値ａが著しく増加した場合に行われ、以って誤報が低減されるからである。この内容は、数値ａの時間変化量が所定値以上である場合に、ブザー２の鳴動と映像Ｐの記憶部４への記録とを並行して行うと把握できる。
【００５３】
上述したカメラ付きブザーのいずれにおいても、記憶部４に映像Ｐを記録している場合に点灯するランプを更に備えることが望ましい。なぜなら、ランプの点灯により撮像した映像Ｐを記録していることが認識できるからである。例えば、不審者がランプの点灯を見て、逃げ出すことが想定できる。
【００５４】
また、上述したカメラ付きブザーは送信部５を更に備えて良く、図４にはこの態様が示されている。
【００５５】
送信部５は、記憶部４への映像Ｐの記録に並行して所定の信号Ｓを送信する。所定の信号Ｓや受信部６は、第１の実施の形態と同様に選定できる。
【００５６】
本実施の形態で説明したカメラ付きブザーのいずれにおいても、第１の実施の形態で説明したスイッチ１を更に備えても良い。すなわち、スイッチ１を手動でオンした場合には、本実施の形態で説明した制御とは独立して、第１の実施の形態で説明した動作が行われる。
【００５７】
検知部７に替えてスイッチ１を採用しても良い。すなわち、スイッチ１がオンした場合には、オンしたことが制御部に伝えられ、そして制御部は上述したのと同様の制御を行う。
【図面の簡単な説明】
【００５８】
【図１】第１の実施の形態で説明される、カメラ付きブザーを概念的に示すブロック図である。
【図２】カメラ付きブザーの構造を概念的に示す図である。
【図３】カメラ付きブザーをランドセルの肩ベルトに装着した場合を示す図である。
【図４】第２の実施の形態で説明される、カメラ付きブザーを概念的に示すブロック図である。
【符号の説明】
【００５９】
１  スイッチ
２  ブザー
３  撮像部
４  記憶部
５  送信部
７  検知部
９  肩ベルト
４１  ランプ
Ｓ  信号
Ｐ  映像
ｆ  周波数
Ａ  振幅
ａ  数値
【図１】
2007074071.tif 000003
【図２】
2007074071.tif 000004
【図３】
2007074071.tif 000005
【図４】
2007074071.tif 000006